(57)【特許請求の範囲】
【請求項１】
対物レンズを介して被検眼の前眼部と共役位置に光軸に関して対称に設けた光源対と、眼底像及び前記光源対による水平方向に離れて位置する第１、第２の角膜反射像を同時に表示する眼底観察手段と、該眼底観察手段において前記第１、第２の角膜反射像をこれらを結ぶ線上を移動する角膜反射像移動手段と、立体観察のために第１、第２の眼底画像を撮影する撮影手段と、前記眼底観察手段で得られた画像信号中から前記第１の角膜反射像の位置を算出する演算処理手段と、該演算処理手段で算出した前記第１の角膜反射像の位置を目標位置として前記眼底観察手段上に表示する目標位置表示手段とを備え、前記角膜反射像移動手段により前記第１の角膜反射像を前記眼底観察手段上のほぼ中央に移動し、前記光源対を消灯して前記撮影手段により前記第１の眼底画像を撮影し、前記目標位置表示手段により前記目標位置を表示し、前記角膜反射像移動手段により前記第２の角膜反射像を前記目標位置に移動し、前記撮影手段により前記第２の眼底画像を撮影することを特徴とする眼科撮影装置。
【発明の詳細な説明】
【０００１】
【発明の属する技術分野】
本発明は、被検眼を撮影する際に対象物を合わせ易い眼科撮影装置に関するものである。
【０００２】
【従来の技術】
従来、単一の光路の眼底カメラで立体撮影をする方式として、被検眼の前眼部と共役位置に光軸に関して対称な光源対を設け、更に観察光学系の眼底観察面にこれらの光源対を結ぶ方向と垂直に複数の基準線を有する視標を設けて、光源対による複数個の角膜反射像を基準線に順次に合わせて撮影する方式が、特開昭６４−５８２３９公報に開示されている。
【０００３】
【発明が解決しようとする課題】
しかしながら上述の従来例においては、角膜反射像をどの基準線に合わせるかは撮影者が判断しなければならない。しかし、一方では撮影部位を種々変更したいという要求があり、前眼部からの不要反射光の影響を最小限に抑えるように撮影するためには、合わせる基準線を多数用意しておく必要があり、撮影動作がより複雑化するという問題がある。
【０００４】
また、一方の角膜反射像を合わせた後に他方を合わせるようにすると、どの位置に合わせるべきかを忘れてしまう虞れがある等の、操作が複雑かつ不正確になってしまうという欠点がある。
【０００５】
本発明の目的は、上述の問題点を解消し、撮影者はどの目標位置に合わせるべきかを迷うことなく正確に立体撮影を行うことができる眼科撮影装置を提供することにある。
【０００６】
【課題を解決するための手段】
上記目的を達成するための本発明に係る眼科撮影装置は、対物レンズを介して被検眼の前眼部と共役位置に光軸に関して対称に設けた光源対と、眼底像及び前記光源対による水平方向に離れて位置する第１、第２の角膜反射像を同時に表示する眼底観察手段と、該眼底観察手段において前記第１、第２の角膜反射像をこれらを結ぶ線上を移動する角膜反射像移動手段と、立体観察のために第１、第２の眼底画像を撮影する撮影手段と、前記眼底観察手段で得られた画像信号中から前記第１の角膜反射像の位置を算出する演算処理手段と、該演算処理手段で算出した前記第１の角膜反射像の位置を目標位置として前記眼底観察手段上に表示する目標位置表示手段とを備え、前記角膜反射像移動手段により前記第１の角膜反射像を前記眼底観察手段上のほぼ中央に移動し、前記光源対を消灯して前記撮影手段により前記第１の眼底画像を撮影し、前記目標位置表示手段により前記目標位置を表示し、前記角膜反射像移動手段により前記第２の角膜反射像を前記目標位置に移動し、前記撮影手段により前記第２の眼底画像を撮影することを特徴とする。
【０００７】
【発明の実施の形態】
本発明を図示の実施例に基づいて詳細に説明する。
図１は実施例の構成図を示し、被検眼Ｅの前方の光路Ｏ上には、被検眼Ｅと対向するレンズ１、被検眼Ｅの前眼部に共役な孔あきミラー２、レンズ系３、切換ミラー４、シャッタ５、フィルム６が順次に配列されている。また、切換ミラー４の反射方向には、ミラー７、レンズ８、ＣＣＤカメラ９が配置されている。
【０００８】
また、孔あきミラー２の近傍には二次光源１０が配置され、光源１０からの光束は、２本の光ファイバ１１ａ、１１ｂを介して前眼部と共役位置、つまり孔あきミラー２の孔部付近の２個所に導かれ、紙面垂直方向即ち水平面内で対称な光源対となるようにされている。
【０００９】
ＣＣＤカメラ９の出力はキャラクタミックス部１２に接続され、キャラクタミックス部１２の出力はキャラクタジェネレータ１３、テレビモニタ１４に接続されている。
【００１０】
図示しない眼底照明光学系からの照明光は、孔あきミラー２で反射され、レンズ１により眼底Erを照明する。また、光源１０からの光束は、２本の光ファイバー１１ａ、１１ｂを介して孔あきミラー２の近くの２個所に至り、二次光源として眼底Erに照射される。
【００１１】
図２に示すように、立体撮影用の第１、第２の角膜反射像R1、R2を含む眼底像がＣＣＤカメラ９に撮像され、光電変換された後にテレビモニタ１４に表示される。
【００１２】
立体撮影の手順は、先ず図示しない装置の基台部等を水平方向に移動することにより、ほぼ第１と第２の角膜反射像R1とR2を結ぶ線分上で、かつ第１、第２の角膜反射像R1、R2を順次に移動した場合に、テレビモニタ１４の眼底像上で前眼部等からの不要な反射光が同程度になるような図３の位置Ａに、第１の角膜反射像R1を移動して図示しない撮影スイッチを押す。
【００１３】
これにより、ＣＣＤカメラ９の出力信号において第１の角膜反射像R1を通る１ラインの出力信号が、図示しないＡ／Ｄ変換部によりデジタル信号に変換される。図４に示すように、角膜反射像が示す波形はほぼ正規分布を示すので、変換された信号から図示しない演算処理部により最大値のアドレスが算出される。図示しない演算処理部における演算終了後に光源１０を消灯し、図示しない照明光により眼底Erを撮影する。
【００１４】
第１の眼底画像の撮影後に、演算処理部により算出された最大値のアドレスに相当する位置に、キャラクタジェネレータ１３からキャラクタが発生され、このキャラクタは移動目標Ｐとしてキャラクタミックス部１２により眼底像上にスーパインポーズされ、図５に示すようにテレビモニタ１４上に表示される。
【００１５】
次に、図６に示すように第２の角膜反射像R2を移動目標Ｐに位置合わせした後に、第２の眼底画像の撮影を行う。ここで、移動目標Ｐは第２の角膜反射像R2を含み、かつ１つの角膜反射像R2の位置をほぼ一意的に決定可能な大きさで表示されている。なお、移動目標Ｐは図５のように矩形で表示されるものに限らず、円形等の任意の形状でもよく、更に括弧等の表示でもよい。
【００１６】
本実施例では、移動目標をキャラクタジェネレータ１３により発生する場合を説明したが、図示しないビットマップイメージ生成部により移動目標を生成した後に、所定の位置に表示するように構成してもよい。また、第１、第２の眼底画像の撮影手順は、第１の角膜反射像R1からでなく第２の角膜反射像R2から先に行ってもよい。
【００１７】
【発明の効果】
以上説明したように本発明に係る眼科撮影装置は、第１の角膜反射像を所定の位置に移動して撮影した後に、眼底観察手段上の所定位置に第２の角膜反射像を位置合わせするための目標位置を表示することにより、どこに角膜反射像を合わせればよいか迷うことなく、常に同じ基線長により、正確に立体撮影を行うことができる。
【図面の簡単な説明】
【図１】実施例の構成図である。
【図２】角膜反射像を含む眼底像の説明図である。
【図３】移動後の眼底像の説明図である。
【図４】ＣＣＤカメラの出力信号のグラフ図である。
【図５】移動目標の説明図である。
【図６】移動目標に合わせた角膜反射像の説明図である。
【符号の説明】
２  孔あきミラー
４  切換ミラー
６  フイルム
９  ＣＣＤカメラ
１０  二次光源
１１ａ、１１ｂ，  光ファイバ
１２  キャラクタミックス部
１３  キャラクタジェネレータ
１４  テレビモニタ
【図１】
0003684014.tif 000002
【図２】
0003684014.tif 000003
【図３】
0003684014.tif 000004
【図４】
0003684014.tif 000005
【図５】
0003684014.tif 000006
【図６】
0003684014.tif 000007